(57)【特許請求の範囲】
【請求項１】
筺体の底板上に配置されて少なくとも前記筐体の一側面を形成する熱交換器と、この熱交換器の上部に配置される軸流型送風機と、この送風機の羽根車の周囲に設けられるベルマウスとを備える空気調和装置の室外ユニットにおいて、
前記ベルマウスは、前記熱交換器の内面よりも外側に拡径された内周面を備える構成とし、前記熱交換器の内面の上端部から前記ベルマウスの内周面に向けて、前記熱交換器の内面と前記ベルマウスとの内周面との間に形成される段差をなくすように外側上向きに傾斜した風向板を備えることを特徴とする空気調和装置の室外ユニット。
【請求項２】
前記風向板は、前記羽根車の先端部よりも低い位置に設けられていることを特徴とする請求項１に記載の空気調和装置の室外ユニット。
【請求項３】
前記熱交換器は、前記筐体の背面及び左右両側面に沿って配置される背面部及び両側面部を備えて断面略コ字状に形成され、これら背面部及び両側面部にそれぞれ前記風向板を設けたことを特徴とする請求項１または２に記載の空気調和装置の室外ユニット。
【請求項４】
前記熱交換器の上面部に沿って延在し、前記送風機のモーターを支持する一対のモーター支持台を支持する支持フレームを備え、前記風向板は前記支持フレームに固定されていることを特徴とする請求項１乃至３のいずれかに記載の空気調和装置の室外ユニット。
【発明の詳細な説明】
【技術分野】
【０００１】
本発明は、送風機によって熱交換器を通して側方から吸い込んだ空気を上方に吹き出す形式の空気調和装置の室外ユニットに関する。
【背景技術】
【０００２】
一般に、筺体の底板上に配置されて少なくとも筐体の一側面を形成する熱交換器と、この熱交換器の上部に配置される軸流型の送風機とを備え、熱交換器を通じて吸い込んだ空気を送風機によって上方に吹き出す空気調和装置の室外ユニットが知られている。この種の室外ユニットでは、熱交換器を断面略コ字状に形成し、筺体の背面側及び両側面側の３面に沿って底板上に配置することにより、熱交換面積を確保しつつ設置面積の省スペース化を図ったものが提案されている（例えば、特許文献１参照）
【先行技術文献】
【特許文献】
【０００３】
【特許文献１】特開２００４−１５６８００号公報
【発明の概要】
【発明が解決しようとする課題】
【０００４】
ところで、このような室外ユニットでは、筺体の省スペース化を図る一方で、送風機のプロペラファン（羽根車）の外径を大きくすることにより送風量の増大が図られている。この場合、プロペラファンの外径の大型化に伴い、プロペラファンの周囲に配置されるベルマウスの内径も大きくなるため、このベルマウスの内周面が熱交換器の内面に比べて外側に位置することにより、当該熱交換器の内面とベルマウスの内周面との間に段差が形成される。これにより、この段差で空気の滞留が生じるため、その分、空気の流れが悪くなり通風抵抗が増大するといった問題がある。
本発明は、上述した事情に鑑みてなされたものであり、送風量を増大しつつ通風抵抗の低減を図った空気調和装置の室外ユニットを提供することを目的とする。
【課題を解決するための手段】
【０００５】
上記目的を達成するため、本発明は、筺体の底板上に配置されて少なくとも前記筐体の一側面を形成する熱交換器と、この熱交換器の上部に配置される軸流型送風機と、この送風機の羽根車の周囲に設けられるベルマウスとを備える空気調和装置の室外ユニットにおいて、前記ベルマウスは、前記熱交換器の内面よりも外側に拡径された内周面を備える構成とし、前記熱交換器の内面の上端部から前記ベルマウスの内周面に向けて、前記熱交換器の内面と前記ベルマウスとの内周面との間に形成される段差をなくすように外側上向きに傾斜した風向板を備えることを特徴とする。
【０００６】
この構成において、前記風向板は、前記羽根車の先端部よりも低い位置に設けられていても良い。また、前記熱交換器は、前記筐体の背面及び左右両側面に沿って配置される背面部及び両側面部を備えて断面略コ字状に形成され、これら背面部及び両側面部にそれぞれ前記風向板を設けても良い。また、前記熱交換器の上面部に沿って延在し、前記送風機のモーターを支持する一対のモーター支持台を支持する支持フレームを備え、前記風向板は前記支持フレームに固定されていても良い。
【発明の効果】
【０００７】
本発明によれば、ベルマウスは、熱交換器の内面よりも外側に拡径された内周面を備える構成としているため、羽根車の外径を大きく形成することができ送風量を増大できる。さらに、熱交換器の内面の上端部からベルマウスの内周面に向けて上向きに傾斜した風向板を備えるため、この風向板に沿って空気がベルマウスの内周面に流れることにより、熱交換器の内面とベルマウスの内周面との間の段差で空気が滞留することが防止され、通風抵抗を低減できる。
【図面の簡単な説明】
【０００８】
【図１】本実施形態に係る空気調和装置の室外ユニットの側断面図である。
【図２】室外ユニットの内部構成を示す上面図である。
【図３】ファンモーターの支持構造を示す斜視図である。
【図４】室外ファン及びベルマウスを示す断面図である。
【図５】整流板と支持フレームとの配置関係を示す下面図である。
【図６】ベルマウス及び風向板を示す斜視図である。
【図７】ベルマウス及び風向板を示す断面図である。
【発明を実施するための形態】
【０００９】
以下、本発明の実施の形態を、図面を参照しながら説明する。
本構成に係る空気調和装置は、室外ユニット１０と室内ユニット（図示せず）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１０】
図１は、室外ユニット１０を右側から見た側断面図であり、図２は、室外ユニット１０の内部構成を示す上面図である。室外ユニット１０は、略直方体箱形状のユニットケース（筐体）１１を備え、このユニットケース１１は、底板１２と、この底板１２の四隅から鉛直方向に延びる支柱１４と、前面パネル１５とを有して構成される。
底板１２上には、図２に示すように、上面視略コ字形状に屈曲されて形成された熱交換器２１が配置されている。具体的には、この熱交換器２１は、ユニットケース１１の側面部を構成し、このユニットケース１１の左側面から背面及び右側面に沿わせて配置されている。また、熱交換器２１の上部には、図１に示すように、室外ファン（軸流型送風機）２２が配置される。この室外ファン２２は、熱交換器２１の上方に配置されるファンモーター（モーター）２３と、このファンモーター２３のモーターシャフト５１に取り付けられたプロペラファン（羽根車）２４とを備えて構成される。このプロペラファン２４は、コ字形状の熱交換器２１の略中央に位置するように配置されている。
【００１１】
プロペラファン２４の周囲には、プロペラファン２４の吸込側の空気を吹出側に案内するベルマウス２５が設けられている。このベルマウス２５は、樹脂成型によって形成され、軽量化及び所望な形状の実現を可能としている。ベルマウス２５は、図１に示すように、吹出開口２５Ａと、この吹出開口２５Ａよりも拡径した吸込開口２５Ｂとを備えて筒状に形成されており、吹出開口２５Ａに連通して吸込開口２５Ｂに向かって徐々に拡径するように傾斜する内壁２９とを備える。ベルマウス２５の吹出開口２５Ａは、プロペラファン２４への人体などの接触を防止するファンガード２６で覆われる。また、ベルマウス２５の周囲には、発泡スチロール等の断熱材２７を介して化粧パネル（図示せず）が設けられている。
【００１２】
ファンモーター２３によりプロペラファン２４が回転駆動されると、室外ユニット１０の周囲、より具体的には図中矢印Ｘで示すように、ユニットケース１１の前面を除いた左側面側、背面側及び右側面側から外気がユニットケース１１内に吸い込まれ、このユニットケース１１の上面部に設けられたベルマウス２５の吹出開口２５Ａを通じて外に排出される。つまり、この室外ユニット１０は、上面から熱交換後の空気を吹き出す上面吹き出しタイプに構成されている。
【００１３】
ユニットケース１１内には、底板１２上に、冷媒回路の一部を構成する圧縮機３０（図１）、アキュムレータ３１、オイルセパレーター３２及びレシーバータンク３３が設けられるとともに、四方弁３９や膨張弁（図示せず）といった弁体などの冷媒回路構成部品が配管接続されて収容される。これら冷媒回路構成部品の配管の一端側は、熱交換器２１を介して室内ユニットと配管接続され、当該冷媒回路構成部品の配管の他端側は室内ユニットに配管接続され、これにより、冷媒を循環する冷媒回路が構成される。
【００１４】
ユニットケース１１は、当該ユニットケース１１の前面側に底板１２から上方に延びる仕切り板３５を備える。この仕切り板３５は、途中までまっすぐ上方に延びた後に斜め前方に屈曲され、その上端部がベルマウス２５の前面側に配置される電装ボックス３４に接続されている。ユニットケース１１内は、仕切り板３５によって、熱交換室３６と機械室３７とに区分けされ、この機械室３７にメンテナンス頻度の高い圧縮機や冷媒回路構成部品が収容され、熱交換室３６には、メンテナンス頻度の低い熱交換器２１や、圧力容器としてのアキュムレータ３１、オイルセパレーター３２及びレシーバータンク３３が収容される。このため、本実施形態では、前面パネル１５を取り外すと、作業者が前面側からユニットケース１１内の圧縮機３０や電装ボックス３４のメンテナンス作業を容易に行うことができる。更に、機械室３７に収容された圧縮機３０等の機器は、仕切り板３５により直接雨滴がかかることが防止される。
【００１５】
アキュムレータ３１は、流入した冷媒を気液分離して、圧縮機３０に液冷媒が流入することを防止する圧力容器である。本実施形態では、アキュムレータ３１は、底板１２の略中央に配置されるとともに、圧縮機３０やオイルセパレーター３２等と比べて高さの高い形状に形成されている。このため、アキュムレータ３１の上部には、アキュムレータ３１をユニットケース１１に支持する支持部材３８が設けられ、当該アキュムレータ３１の揺動を防止している。
【００１６】
図３は、ファンモーター２３の支持構造を示す斜視図である。
熱交換器２１の上面には、熱交換器２１のコ字形状に沿って枠状に形成された上部フレーム１６が設けられている。図３に示すように、上部フレーム１６は、コ字形状の熱交換器２１（図２）の各上面に沿ってそれぞれ設けられる板状のフレーム板（支持フレーム）１６Ａ，１６Ｂ，１６Ｃと、フレーム板１６Ａ，１６Ｃの前端を連結する連結板１６Ｄとを備えている。上部フレーム１６の四隅は、各支柱１４に連結される。
各フレーム板１６Ａ，１６Ｂ，１６Ｃは、それぞれ内縁部を鉛直下方に折り曲げて形成された固定片部１６Ａ１，１６Ｂ１，１６Ｃ１を備え、これら固定片部１６Ａ１，１６Ｂ１，１６Ｃ１にそれぞれ後述する風向板が取り付けられる。
【００１７】
フレーム板１６Ｂと連結板１６Ｄとの間には、フレーム板１６Ａ，１６Ｃと略平行に延びる一対のモーター支持台１７，１７が架け渡され、ファンモーター２３は、モーター支持台１７，１７に固定されている。これらモーター支持台１７，１７は、下面が開放された断面コ字状に形成された部材であり、コの字の開口が下方を向くように上部フレーム１６上に配置されている。モーター支持台１７は、取り付けステー片５４，５４が載置される略水平の上板部（上面部）７２と、上板部７２の幅方向の外端から下方に延びる外板部（外面）７３と、上板部７２の幅方向の内端から下方に延びる内板部（内面）７４とを有している。モーター支持台１７，１７は、金属製のチャンネル材であり、容易に入手できる。
また、モーター支持台１７，１７は、それぞれフレーム板１６Ｂ及び連結板１６Ｄの長手方向（ユニットケース１１の幅方向：図中Ａ方向）の略中央部からそれぞれ等距離離れた位置に配置されている。更に、ファンモーター２３は、モーター支持台１７，１７の長手方向（ユニットケース１１の奥行方向：図中Ｂ方向）の略中央部に固定されている。すなわち、ファンモーター２３（及びプロペラファン２４）は、コ字形状の熱交換器２１の略中央に位置するように配置され、上記したアキュムレータ３１の略上方に位置する構成となっている。
【００１８】
ファンモーター２３は、円柱状の本体部５２と、本体部５２から上方に延びてプロペラファン２４を支持するモーターシャフト５１（図１）とを有している。プロペラファン２４は、樹脂製のハブ４５と、このハブ４５の外周に所定の翼角を有して所定の間隔で一体成形された複数枚の羽根４６，４６・・とを備える。
本体部５２には、放熱用のフィン５３が外周部に形成されるとともに、外周部に沿って略水平に延びる一対の取り付けステー片（ステー）５４，５４が形成されている。取り付けステー片５４，５４は、本体部５２を外側から挟むように配置されるとともに、互いに平行に設けられている。
ファンモーター２３は、本体部５２がモーター支持台１７，１７の間に配置されるとともに、取り付けステー片５４，５４がモーター支持台１７，１７上に載置され、取り付けステー片５４，５４を上方から貫通する複数の固定ボルト５５によってモーター支持台１７，１７に締結固定される。ここで、ファンモーター２３の取付高さ位置は、プロペラファン２４を回転させた際の送風量と関連することが分かっている。このため、ファンモーター２３のステー片５４とモーター支持台１７，１７との間にスペーサー（不図示）を挿入させることにより、当該ファンモーター２３の取付高さ位置を容易に調整することができる。
【００１９】
図４は、室外ファン２２及びベルマウス２５を示す断面図である。
上述のように、本実施形態では、室外ファン２２のプロペラファン２４が回転すると、ユニットケース１１の前面を除いた左側面側、背面側及び右側面側から熱交換器２１を通じて外気がユニットケース１１内に吸い込まれ、このユニットケース１１の上面部に設けられたベルマウス２５の吹出開口２５Ａを通じて外に排出される。
この場合、室外ファン２２のファンモーター２３及びファンモーター２３を支持するモーター支持台１７，１７は、空気の流路に延在するため、空気流を妨げる通風抵抗となる。このため、本実施形態では、モーター支持台１７，１７及びファンモーター２３の下方（上流側）には、それぞれモーター支持台１７，１７及びファンモーター２３の下方を流れる空気流の通風抵抗を減少させる整流部材６１及び整流板４０が設けられている。
整流部材６１及び整流板４０は金属製の板材により形成されており、整流部材６１，６１は、それぞれモーター支持台１７，１７の下面に取り付けられ、整流板４０は、ファンモーター２３の下方位置でモーター支持台１７，１７間に架け渡されて取り付けられている。
【００２０】
整流部材６１は、断面略Ｖ字状の棒状に形成されており、モーター支持台１７の内板部７４に沿って略鉛直に下方へ延びる鉛直板部６２と、鉛直板部６２の下端からモーター支持台１７の外板部７３の下端へ向けて上方に延びる傾斜板部６３と、この傾斜板部６３に連なり当該外板部７３に沿って略鉛直に上方へ延びる固定板部６４とを有している。
整流部材６１は、モーター支持台１７の下面の開口を下方から覆うように配置され、上部フレーム１６の開口部１６Ｅの略全長に重なるように、モーター支持台１７の略全長に亘って一体に設けられている。整流部材６１の断面形状はその全長に亘って一様である。
整流部材６１は、モーター支持台１７を鉛直板部６２及び固定板部６４で挟み込み、これら鉛直板部６２及び固定板部６４の孔部（図示略）にそれぞれ挿通されるボルト６６によって、モーター支持台１７の内板部７４及び外板部７３に締結固定されている。
【００２１】
整流部材６１は、モーター支持台１７に固定されると、下方にかけて先細る略三角形の凸状となっており、Ｖ字の頂部６１Ａは空気流の上流側に向けて突出している。傾斜板部６３の外面部は、頂部６１Ａからユニットケース１１の外側面側に向けて上方に傾斜する傾斜面６３Ａとなっている。傾斜面６３Ａは、モーター支持台１７の内板部７４から外板部７３に亘り上向きの傾斜で一様に形成されている。
整流部材６１の頂部６１Ａは、モーター支持台１７の幅方向において、ファンモーター２３側に偏って位置し、鉛直板部６２の下端に位置している。これにより、モーター支持台１７の下面の領域をすべて傾斜板部６３として形成することができるため、モーター支持台１７の下面部全域に至る空気を傾斜面６３Ａに沿ってユニットケース１１の外側面側に向けて斜め上方に流れ、プロペラファン２４の外径方向に流すことができる。このため、より多くの空気流を回転速度が高いプロペラファン２４の外径部側に流すことができるため、風量を向上できるとともにモーター支持台１７による通風抵抗の低減を図ることができる。
【００２２】
一方、整流板４０は、断面略Ｖ字状に折り曲げられた板材であり、ファンモーター２３の略中央下方でモーター支持台１７に沿って延びる頂部４１と、この頂部４１からそれぞれモーター支持台１７の外板部７３の下端へ向けて上方に延びる傾斜板部４２と、この傾斜板部４２に連なり当該外板部７３に沿って略鉛直に上方へ延びる固定板部４３とを備えて構成されている。
整流板４０は、図５に示すように、平面視でファンモーター２３と重なる下方位置に設けられている。整流板４０は、ファンモーター２３の下方に空気が滞留することを防止して空気流の通風抵抗を減少させるものであるため、ファンモーター２３を覆う程度の大きさとするのが望ましい。これに対して、整流板４０が大き過ぎると、この整流板４０によってファンモーター２３の周囲を流れる空気量が減少し、当該ファンモーター２３の冷却が十分にできなくなるおそれがある。このため、本実施形態では、整流板４０は、モーター支持台１７が延びる方向の長さＬ１がファンモーター２３の外径Ｌ２よりも小さい長さに形成されることにより、ファンモーター２３を冷却するとともに、通風抵抗を低減できる。
【００２３】
上述のように、本実施形態では、モーター支持台１７の下面に整流部材６１が取り付けられているため、整流板４０は、この整流部材６１に重ねてモーター支持台１７に取り付けられている。具体的には、整流板４０の固定板部４３は、整流部材６１の固定板部６４に重ねられ、この固定板部６４とともにモーター支持台１７の外板部７３にボルト６６で固定されている。
【００２４】
整流板４０は、モーター支持台１７に固定されると、下方にかけて先細る略三角形の凸状となっており、Ｖ字の頂部４１はファンモーター２３の略中央部で空気流の上流側に向けて突出している。傾斜板部４２の外面部は、頂部４１からユニットケース１１の外側面側に向けて上方に傾斜する傾斜面４２Ａとなっている。この傾斜面４２Ａは、頂部４１からモーター支持台１７の外板部７３に亘り上向きの傾斜で一様に形成されている。
これにより、ファンモーター２３の下面部全域に至る空気を各傾斜面４２Ａに沿ってユニットケース１１の外側面側に向けて斜め上方に流れ、プロペラファン２４の外径方向に流すことができる。このため、より多くの空気流を回転速度が高いプロペラファン２４の外径部側に流すことができるため、風量を向上できるとともにファンモーター２３による通風抵抗の低減を図ることができる。
さらに、整流板４０の頂部４１は、ファンモーター２３の略中央部下方に位置しているため、当該ファンモーター２３の下面部に至る空気を略均等に分配することができ、風量の偏りを抑えて効率良くユニットケース１１の外部に空気を排出できる。
【００２５】
本実施形態では、整流板４０及び整流部材６１の傾斜板部４２，６４の傾斜角度は略同一に形成されている。これによれば、整流板４０と整流部材６１とが密着されるため、通風抵抗を低減することができるとともに、各整流板４０，整流部材６１の傾斜面４２Ａ，６３Ａに沿って流れる空気流の方向を揃えることができ、整流効果を高めることができる。
【００２６】
また、上述のように、本実施形態では、アキュムレータ３１の上部には、アキュムレータ３１をユニットケース１１に支持する支持部材３８が設けられている。この支持部材３８も、ファンモーター２３及びモーター支持台１７と同様に空気流を妨げる通風抵抗となりうる。このため、支持部材３８は金属製の丸棒で形成され、この丸棒の両端にそれぞれ固定部３８Ａ，３８Ｂが形成されている。一方の固定部３８Ａは、アキュムレータ３１の上部に固定され、他方の固定部３８Ｂは、上部フレーム１６の背面側に位置するフレーム板１６Ｂに固定されている。
これによれば、支持部材３８を丸棒で形成することにより、投影面積を小さくするとともに、支持部材３８の外面が滑らかとなるため、通風抵抗の低減を図ることができる。
さらに、本実施形態では、図５に示すように、支持部材３８は整流板４０の頂部４１と平面視で重なるように配置されている。この構成によれば、支持部材３８を通過する際に乱れた空気がそのまま整流板４０の頂部４１で分配されることにより、空気の乱れを最小限に抑えることができる。このため、支持部材３８を他の場所に設けるものと比べて、通風抵抗を小さくすることができ、室外ユニットの通風抵抗の低減を図ることができる。
【００２７】
ところで、本実施形態の室外ユニット１０は、図５に示すように、熱交換器２１の上部に配置される上部フレーム１６の開口部の幅Ｌ３よりもベルマウス２５の吸込開口２５Ｂ（図１）の直径Ｌ４が大きく形成され、その分、プロペラファン２４の外径を大きくすることにより送風量の増大を図っている。この場合、図１に示すように、プロペラファン２４の外径の大型化に伴い、ベルマウス２５の内壁（内周面）２９が熱交換器２１の内面２１Ａに比べて外側に位置することにより、当該熱交換器２１の内面２１Ａとベルマウス２５の内壁２９との間に段差７０が形成される。これにより、この段差７０で空気の滞留が生じるため、その分、空気の流れが悪くなり通風抵抗が増大するといった問題がある。
【００２８】
このため、図６に示すように、上部フレーム１６には、熱交換器２１の内面２１Ａの上端部からベルマウス２５の内壁２９に向けて上向きに傾斜した風向板８１〜８３を備える。本実施形態では、熱交換器２１は、上面視略コ字形状に屈曲されて形成されているため、ユニットケース１１の左側面、背面、及び、右側面に対応する部分にそれぞれ風向板８１〜８３が配置されている。
両側面に配置される風向板８１，８３は、同一の形状であるため、風向板８１について説明する。この風向板８１は、上部が幅狭に形成された台形状の風向板本体８１Ａと、この風向板本体８１Ａの下端に連なり鉛直下方に延びる固定板部８１Ｂとを備える。この固定板部８１Ｂは、上部フレーム１６の左側面側に配置されるフレーム板１６Ａの固定片部１６Ａ１にボルト８５によって固定されている。
また、背面側に配置される風向板８２も上記風向板８１とほぼ同一の構成であるが、背面側のフレーム板１６Ｂには、上記したモーター支持台１７が固定されているため、このモーター支持台１７を回避するための切欠８２Ｃが形成されている。
【００２９】
この構成によれば、熱交換器２１の内面２１Ａの上端部からベルマウス２５の内壁２９に向けて上向きに傾斜した風向板８１〜８３を備えるため、これら風向板８１〜８３に沿って空気が図中矢印Ｄに示すように、ベルマウス２５の内壁２９方向に流れることにより、熱交換器２１の内面２１Ａとベルマウス２５の内壁２９との間の段差７０で空気が滞留することが防止され、通風抵抗を低減できる。
また、これら風向板８１〜８３は、図７に示すように、上端部８１Ａ１〜８３Ａ１がプロペラファン２４の羽根４６の先端部４６Ａよりも低い位置となる角度に設けられている。これによれば、風向板８１〜８３とプロペラファン２４との干渉を防止しつつ、熱交換器２１の内面２１Ａとベルマウス２５の内壁２９との間に段差７０での空気の溜まりを抑えることができる。
【００３０】
以上説明したように、本実施形態によれば、ユニットケース１１の底板１２上に配置されて少なくともユニットケース１１の一側面を形成する熱交換器２１と、この熱交換器２１の上部に配置される室外ファン２２と、この室外ファン２２のプロペラファン２４の周囲に設けられるベルマウス２５とを備える空気調和装置の室外ユニット１０において、ベルマウス２５は、熱交換器２１の内面２１Ａよりも外側に拡径された内壁２９を備える構成としているため、プロペラファン２４の外径を大きく形成することができ送風量を増大できる。さらに、熱交換器２１の内面２１Ａの上端部からベルマウス２５の内壁２９に向けて上向きに傾斜した風向板８１〜８３を備えるため、これら風向板８１〜８３に沿って空気がベルマウス２５の内壁２９方向に流れることにより、熱交換器２１の内面２１Ａとベルマウス２５の内壁２９との間の段差７０で空気が滞留することが防止され、通風抵抗を低減できる。
【００３１】
また、本実施形態によれば、風向板８１〜８３の上端部８１Ａ１〜８３Ａ１がプロペラファン２４の羽根４６の先端部４６Ａよりも低い位置となる角度に設けられている。これによれば、風向板８１〜８３とプロペラファン２４との干渉を防止しつつ、熱交換器２１の内面２１Ａとベルマウス２５の内壁２９との間に段差７０での空気の溜まりを抑えることができる。
【００３２】
また、本実施形態によれば、熱交換器２１は、ユニットケース１１の背面及び左右両側面に沿って断面略コ字状に形成され、これらコ字状の各面にそれぞれ風向板８１〜８３を設けたため、ユニットケース１１の小型化を実現しつつ、熱交換器２１の内面２１Ａとベルマウス２５の内壁２９との間の段差７０で空気が滞留することを防止し、通風抵抗を低減できる。
【００３３】
また、本実施形態によれば、熱交換器２１の上面部に沿って延在し、室外ファン２２のファンモーター２３を支持する一対のモーター支持台１７，１７を支持するフレーム板１６Ａ〜１６Ｃを備え、風向板８１〜８３はそれぞれフレーム板１６Ａ〜１６Ｃに固定されているため、風向板８１〜８３の取り付けを容易に行うことができる。
【００３４】
以上、本発明の一実施の形態について説明したが、本発明は、これに限定されるものではない。例えば、本実施形態では、フレーム板１６Ａ〜１６Ｃにそれぞれ固定される風向板８１〜８３を備える構成としたが、この風向板８１〜８３を円筒状に形成してフレーム板に固定する構成としても良い。
また、本実施形態では、フレーム板１６Ａ〜１６Ｃの固定片部１６Ａ１，１６Ｂ１，１６Ｃ１に風向板８１〜８３を固定する構成を説明したが、フレーム板１６Ａ〜１６Ｃに固定できるのであれば、他の位置に固定しても良いことは勿論である。
【符号の説明】
【００３５】
１０  室外ユニット
１１  ユニットケース（筺体）
１６  上部フレーム
１６Ａ、１６Ｂ、１６Ｃ  フレーム板（支持フレーム）
１７  モーター支持台
２１  熱交換器
２２  室外ファン（軸流型送風機）
２３  ファンモーター（モーター）
２４  プロペラファン
２５  ベルマウス
７０  段部
８１、８２、８３  風向板
８１Ａ、８２Ａ、８３Ａ  風向板本体
８１Ａ１、８２Ａ１、８３Ａ１  上端部
８１Ｂ、８２Ｂ、８３Ｂ  固定板部
８２Ｃ  切欠
８５  ボルト
【図１】
0005891408.tif 000002
【図２】
0005891408.tif 000003
【図３】
0005891408.tif 000004
【図４】
0005891408.tif 000005
【図５】
0005891408.tif 000006
【図６】
0005891408.tif 000007
【図７】
0005891408.tif 000008